(57)【要約】  体液を受けとめるための流体通路（１１）であって、少なくとも一部が環境に対して開放している流体通路を備えた体液サンプリング装置であって、当該装置は、前記流体通路から離間した体液受け入れ手段（４０）をさらに備え、その結果前記通路内の体液が当該体液受け入れ手段と最初に接することがない。前記体液受け入れ手段は、分析反応を行うための２または３以上の試験領域を有している。チャネルから出た流体を、前記流体受け入れ手段と流体とを機械的に接触させるか、チャネルから出た流体を前記流体受け入れ手段上に移送することによって流体受け入れ手段と流体とを接触させる。
2007527288.tif 000002
【特許請求の範囲】
【請求項１】
サンプル体液を受容するための体液通路を有するサンプリング要素を備え、前記体液通路の少なくとも一部分が周囲環境に開放しており、
前記体液通路によって体液接触されない体液受容手段をさらに備え、これにより、初期段階において、前記通路内の体液が体液受容手段と接触せず、
前記体液受容手段が２または３以上の検査領域を備えてなる検査装置。
【請求項２】
前記サンプリング要素が皮膚穿刺要素である請求項１記載の装置。
【請求項３】
前記装置が、前記体液通路内の体液と前記体液受容手段との接触状態を推測できるように、起動時に物理的変化を知ることができる請求項１記載の装置。
【請求項４】
前記装置が可動部分を有し、前記可動部分が移動可能であり、その上に前記体液通路の少なくとも一部が配置される請求項３記載の装置。
【請求項５】
前記サンプリング要素が体液移動領域を有し、前記体液移動領域内の前記体液通路の少なくとも一部分が鋭利な壁を有する請求項３または４記載の装置。
【請求項６】
前記体液受容手段が、前記鋭利な壁によって押下または切断が可能な層構造を備える請求項５記載の装置。
【請求項７】
前記体液通路内に受容された体液が、電気的起動によって体液受容手段上へ移動される請求項１記載の装置。
【請求項８】
前記サンプリング要素が、直立要素（２６’）が内設される収集領域（２６）を有する請求項７記載の装置。
【請求項９】
前記サンプリング要素または体液受容手段が、体液移動範囲を、体液通路から体液受容手段上に限定する限定手段を有する請求項１記載の装置。
【請求項１０】
前記体液通路が突出壁部分を有し、体液通路付近の表面が、前記突出壁部分に関連して窪んでいる請求項９記載の装置。
【請求項１１】
前記体液通路付近の表面が皮下である請求項９記載の装置。
【請求項１２】
前記体液受容手段が、反応領域、濾過領域、混合領域のうちの少なくとも１つを備える請求項１記載の装置。
【請求項１３】
前記サンプリング要素が２または３以上の通路を有する請求項１記載の装置。
【請求項１４】
前記体液通路が、第１領域（ａ）内において第１幅を有し、別の領域（ｃ）内において、前記第１幅よりも短い第２幅を有する請求項１記載の装置。
【請求項１５】
前記体液通路がさらに収集領域（ｂ）を備える請求項１または１４記載の装置。
【請求項１６】
前記２または３以上の検査領域と毛管チャネルとの接触範囲が、毛管チャネルの中間部分内に配置されているため、最初に毛管内に入る体液適用量が検査領域と接触することがない請求項１記載の装置。
【請求項１７】
体液を受容するための体液通路を設けたサンプリング要素を備え、前記体液通路の少なくとも一部分が周囲環境に開放しており、
前記体液通路から流体接触されない体液受容手段をさらに備え、これにより、初期段階において、前記通路内の体液が前記体液受容手段と接触することがなく、
前記体液受容手段が２つまたはそれ以上の検査領域を備えてなる体液分析のためのシステム。
【請求項１８】
前記システムが、検体の存在および／または濃度を決定するために、前記検査領域のうちの少なくとも１つから信号を受信するための検出ユニットを装備した測定器を備える請求項１８記載のシステム。
【請求項１９】
前記測定器が、前記体液受容手段が受容されるホルダを備え、前記少なくとも１つの検査領域から検出器への信号送信が可能である請求項１８記載のシステム。
【請求項２０】
前記検査領域のうちの少なくとも１つにサンプル体液を供給するために、前記サンプリング要素の体液通路の一部分を体液受容手段と接触させる接触手段を備える請求項１７記載のシステム。
【請求項２１】
前記測定器が、接触手段が体液通路を体液受容手段と接触させた、またはサンプル体液が検査領域に達したことを示す信号を受信する処理ユニットを有する請求項１８記載のシステム。
【請求項２２】
前記接触手段が、前記体液通路からの液体が体液受容手段と接触できるようにするために、前記体液通路と前記体液受容手段の間に電位を付加する電圧手段を備える請求項２０記載のシステム。
【請求項２３】
前記サンプリング要素が可動部分を有し、前記接触手段が、前記体液通路の少なくとも一部を前記体液受容手段と接触させるべく移動させるために、前記可動部分に力を付加する請求項２０記載のシステム。
【請求項２４】
前記サンプリング要素が皮膚穿刺手段であり、前記システムがさらに、体液サンプルを取得するべく皮膚を穿刺するために皮膚穿刺要素を皮膚内に駆動する駆動手段を備えている請求項１７記載のシステム。
【請求項２５】
ａ）サンプリング要素の体液通路内に体液を受容する工程を備え、
ｂ）前記サンプリング要素を、２つまたはそれ以上の検査領域を備えた体液受容手段と接触させる工程をさらに備え、これにより、サンプリング要素の体液が体液受容手段と接触し、前記検査領域のうちの少なくとも１つに到達することができ、
ｃ）前記少なくとも１つの検査領域から送信された、検体濃度を特徴とする信号を受信する工程をさらに含み、
ｄ）検体濃度を決定するべく前記信号を処理する工程をさらに含む
体液中の検体濃度を決定する方法。
【請求項２６】
前記工程ｂ）で開始する期間が監視され、検体濃度の決定が経過時間に基づいて開始される請求項２５記載の方法。
【請求項２７】
前記工程ｂ）が信号の監視を開始し、信号の経時的変化が、濃度決定の時間における１つの点を決定するために採用される請求項２５記載の方法。
【請求項２８】
前記皮膚穿刺要素による皮膚刺入を備える請求項２５記載の方法。
【請求項２９】
少なくともアクセス領域において周囲から接触可能なチャネルを内部に有する支持構造を備え、前記チャネルが体液導入領域と、さらに、接触領域の下流に位置する体液排出領域とを有し、
体液受容手段をさらに備え、
前記体液受容手段が、第１状態においてチャネルから離間し、第２状態にある接触領域内の体液によって接触されているため、排出領域からの体液によって接触されることがなく、
前記体液受容手段が２つまたはそれ以上の検査領域を備えてなる分析装置。
【請求項３０】
少なくとも接触領域において周囲から接触可能な内部に体液を受容するためのチャネルを有する支持構造を備え、
チャネルから離間している体液受容手段をさらに備え、
オン状態において、前記接触領域内の体液と前記体液受容手段との間に電位を付加する電位ソースをさらに備え、これにより、前記接触領域からの体液が前記体液受容手段上へ搬送され、
前記体液受容手段が２または３以上の検査領域を備えてなる分析装置。
【請求項３１】
ａ）サンプリング要素の体液通路内に体液を受容する工程を含み、
ｂ）前記サンプリング要素を少なくとも１つの検査領域を備える第１体液受容手段と接触させる工程であって、これによりサンプリング要素の体液通路からの体液が、第１体液受容手段と接触し、その少なくとも１つの検査領域に到達させる工程をさらに含み、
ｃ）前記サンプリング要素を、少なくとも１つの検査領域を備える第２体液受容手段と同時または連続的に接触させる工程であって、これにより、前記サンプリング要素の体液通路からの体液が第２体液受容手段と接触し、その少なくとも１つの検査領域に到達させる工程をさらに含み、
ｄ）前記第１および第２体液受容手段の前記少なくとも１つの検査領域からの信号を受信する工程をさらに含み、
ｅ）検体濃度を決定するために前記信号を処理する工程をさらに含んでなる体液中の検体濃度を決定する方法。
【発明の詳細な説明】
【技術分野】
【０００１】
本発明は、血液グルコース、ラクテート、コレステロール、脂質、その他のような、複数の検体の濃度の診断または監視を行うための、体液分析の分野に関する。
【０００２】
本発明は、少量のサンプリング体液をサンプリングする装置およびシステムに関する。この体液検査装置は、体液を内部に受容するための体液通路をプーリング（pooling）できるように周囲環境に開放している。このサンプリング装置または別個の要素は、皮膚穿刺要素の収集領域と接触していない体液受容手段を備えているため、初期段階では、収集領域内のサンプリング済みの体液は体液受容手段と接触していない。収集領域が接続した体液サンプリング装置、または体液サンプリング装置および体液受容手段を備えたシステムを、体液を移動させるために収集領域の少なくとも一部分が体液受容手段と接触する第２状態に移行させることができる。体液受容手段からの信号に基づいて、検体濃度を決定できる。
【背景技術】
【０００３】
体液をサンプリングするシステムは、体液を使い捨て可能要素内に取り上げる従来技術において既に知られている。血液収集および分析システムは、たとえば、欧州特許第０１９９４８４号明細書から知られており、ここでは、体液を収集し、この体液を検出範囲へ移動するための毛管を具備した使い捨て可能なユニットを備えている。この概念をさらに発展させたものが、国際公開第９７／４２８８８号パンフレットに記載されている。この特許に記載されている配置は、比較的少量の体液を制御するために特に適しているが、これは、主に、収集場所を包囲している範囲上へのリングの押圧と、ポンプ動作とによって達成される。少量の間質液に基づいて分析を行うシステムが、欧州特許第０７２３４１８号明細書から知られている。この目的のためには、非常に薄型で中空の針を皮下に挿入し、刺入部位周囲の範囲に圧力を付加すると、この針を介して間質液が検査領域に搬送される。米国特許第５８０１０５７号明細書から、やはり閉鎖針を利用して体液の引き上げを行う超小型化された装置が知られている。この装置が特に利点とするのは、本質的に痛みをまったく伴わずに、患者の腕領域内に挿入できる極薄型の針である。
【０００４】
一方、米国特許第５８０１０５７号明細書に記載の装置は、多くの実用的な要求を既に満たしている一方で、いくつかの特徴を改善する必要がある。先述の文書によるサンプリング装置に伴う概略的な問題は、中空針を費用効率的かつ可能な限り安価に製造する点である。
【０００５】
この目的のために、開放した体液通路構造体を設けた体液サンプリング装置が考案されている。米国特許出願公開第２００３／００１８２８２号明細書、米国特許出願公開第２００３／００２８１２５号明細書の両方は、少なくとも一部分が穿刺針の領域内に配置されている、体液サンプリングのための開放チャネルを装備した皮膚穿刺装置について説明している。収集領域内にサンプリングされた体液が、皮膚穿刺要素に固定された検査領域へ移動される。特に、米国特許出願公開第２００３／００２８１２５号明細書は、皮膚穿刺要素は検査片の一部分と一体に設けられていると記述している。貯め範囲を提供する類似のサンプリングおよび検査装置を考案したさらなる文書が、米国特許出願公開第２００２／０１６８２９０号明細書に記述されている。
【発明の開示】
【０００６】
従来技術のサンプリングおよび検査装置は、毛管チャネルからのサンプルが、毛管チャネルと流体接触した検査領域へ直接移動されるサンプル実施形態について記述している。本発明は、これとは異なり、サンプルを取り上げる段階では収集領域が検査領域と流体接触しない体液サンプリングおよび検査装置を提案する。体液サンプルを体液通路内に取り上げた後に、体液通路の少なくとも一部分が、通路から体液を受容する体液受容手段と共に収縮する。体液受容手段は、それ自体が２つまたはそれ以上の検査領域を備えるか、または、サンプルを２つまたはそれ以上の検査領域へ搬送する領域であってよい。そのため、検査領域の湿潤を、接触工程により制御された方法で開始することができる。この検査領域湿潤のトリガリングには、反応時間（つまり、検査化学物質とサンプル体液の接触と、検査結果読み取りとのあいだの時間）を制御することができ、そのため検体決定の精密度が増加するという利点が伴う。従来技術のサンプリング装置と比較した場合のさらなる利点は、体液サンプリングと、サンプリング要素と検査領域の接触とを異なる場所で実施できることである。体液サンプリングは、たとえばハンドヘルド式機器の前端部にて行い、同時に、機器内で検査領域と接触させることができる。サンプリング要素光学または他の評価手段のこの往復機能をハウジング内部へ移動させることができ、これは、前端部内の限られた空間を考慮した場合に有利である。検査領域または体液受容手段を、既に体液通路内に存在するサンプルと接触させることのさらなる利点は、身体から浸出した第１体液を含んでいない体液通路の一部分との接触が可能なことである。
【０００７】
さらに、サンプリング要素が皮膚穿刺要素である場合は、サンプリング工程の最中に、検査領域を血液から物理的に分離させることで、検査化学物質の身体内への拡散が回避される。
【０００８】
体液受容手段を採用する本発明は、２つまたはそれ以上の検査領域を備えているため、１つのサンプリング工程を行った後に、２つ以上の検体検査を実施できるという利点を提供する。動作の順序により、つまり、毛管の充填と、この毛管と２つまたはそれ以上の検査領域との接触により、複数の検査領域にサンプル体液をほぼ同一の方法で確実に提供することができる。これは、サンプルが検査領域のカスケードの一端に受容される実施形態にかけて有利であるが、その理由は、この従来技術の実施形態では、サンプル体液が、連続検査領域に達する前に先行の検査領域によって変更されるためである。さらに、望ましくない濾過工程および拡散工程が発生する可能性がある。
【０００９】
さらに、各々が１つまたはそれ以上の検査領域を設けている２つまたはそれ以上の体液受容手段を、同一のサンプリング要素と接触させることができる。体液受容手段とサンプリング要素との接触は、たとえば同時または連続的に実施できる。
【００１０】
少量の体液を引き出すシステムおよび装置の或る特定の適用分野は、体液中の特定の検体の濃度が特定の時間に決定される、いわゆるスポット監視である。このような測定は、検体濃度の変化を監視するために、時間間隔を置いて繰り返し実行することができる。
【００１１】
本発明は、同時に複数の検査を実施する、いわゆるパネル検査に特に有利である。このようなパネル検査は、グルコース、乳酸媛、コレステロール、トリグルセリド、尿素、尿酸、クレアチニンのような基本的な血液成分を決定するために、たとえば脂質、心臓パラメータ、肝臓パラメータ、またはこれ以外のパラメータの組み合わせを検査するためのものとして知られている。サンプル体液中の検体が抗体と相互作用する場合には、さらなる免疫学検査を実施することができる。
【００１２】
体液受容手段上に設けられた検査領域は、特定のパラメータに検体検査を実行するように適合されている。適合とは、検査領域が、特定のパラメータの特別な検出が可能な検査化学物質を備えていることを意味する。
【００１３】
あるいは、１つの体液受容手段上の異なる複数の検体に２つまたはそれ以上の検査領域を設けることで、たとえば統計的理由で、同一の検体に２つまたはそれ以上の領域を設けるか、あるいは、領域を異なる検体濃度について最適化することができる。
【００１４】
本発明により、検体検査の工程を大幅に簡素化することができる。
【００１５】
この簡素化は、体液通路内に体液を受容するサンプリング要素を採用し、次に、この体液を、検査領域を備える体液受容手段と自動的に接触させることで達成できる。検査の簡素化は、現在の使用者にとって有利であるだけでなく、より多くの人々が、血液または尿パラメータを規則的に検査できるようになる効果を有することを望む。
【００１６】
本発明によるサンプリング装置およびシステムは、少量の体液を引き出すべく機能する。この状況において、体液は特に血液、間質液、およびこれら体液の混合物であると理解される。通常これが指球上で実施される従来技術の血液収集システムとは異なり、本発明による収集システムは、血液を身体上の別の部位、たとえば前腕および掌からも引き出すことが可能である。或る好ましい実施形態では、サンプリング要素は皮膚穿刺要素である。
【００１７】
少量の体液を引き出すための本発明による皮膚穿刺要素は、皮膚を穿刺するための鋭利な先端を設けた突出部を備えている。突出部の少なくとも１つの領域内に、体液を搬送する毛管作用を備えた体液通路が配置されている。好ましくは全体が毛管で形成されている毛管構造の少なくとも一部分は、その延び範囲にかけて外部に開放している。本発明の範囲内では、毛管構造を、末端範囲が体液と接触すると、毛管構造の基端部へ向かう毛管力によって体液を搬送する本体として理解している。この機能に関連し、本発明による毛管構造は、本願明細書中で参照している米国特許出願公開第２００３／００１８２８２号明細書、米国特許出願公開第２００３／００２８１２５号明細書に記載の開放針構造と類似している。しかし、重要な違いは、これらの文書は毛管チャネル内に受容された体液が検査領域に直接付加され、その結果反応を開始できるように、検査領域と流体接触するマイクロ針を備えていることである。
【００１８】
皮膚穿刺要素の縦方向への延長は、保持範囲を提供する基端部から、皮膚内に挿入される突出部を備えた末端部まで延びている。従来技術による中空針は、その末端部に開口部を備えており、この開口部に体液が流入すると、体液通路が、検査領域を内設できる閉鎖チャネルまたは室に変化する。これと異なり、本発明による毛管構造は、その縦長さ全体にかけて外部に開放しており、また、体液通路が検査領域によって閉鎖されることはない。
【００１９】
開放毛管は、米国特許第５８０１０５７号明細書に記載されているもの、および半導体技術の分野にて周知のもののようなフォトリソグラフィ方法によって製造することができる。さらに、非中空針内で外部に開放しているチャネル、溝、その他を、フライス削り、エッチング、その他によって設けることも可能である。またさらに、マイクロ射出成形のような製造工程の最中に、毛管をプラスチックで形成することもできる。毛管チャネルを提供する窪みは、先端から、または少なくともサンプリング先端の各々を皮膚穿刺要素に近接させる領域から、保持装置と接続可能な基端部へと延びていてよい。窪みまたは毛管は直線的に延びている必要はなく、たとえばらせん状、蛇行状、その他の形状に配置することができる。さらに、毛管は、分流を設けたネットワーク、分岐毛管形状に配置することもできる。
【００２０】
体液受容手段が２つまたはそれ以上の検査領域を備えている本発明によれば、毛管がより小型のチャネルに分岐し、これにより、サンプル体液が側方へ延びるようにすることが好ましい。このような場合には、２つまたはそれ以上の検査領域の接触は、異なるサブチャネルを異なる検査領域と接触させることで行える。
【００２１】
さらなる実施形態では、各々が１つまたはそれ以上の検査領域を備える２つまたはそれ以上の体液受容手段を、１つのサンプリング要素と接触させることができる。
【００２２】
毛管の断面は、たとえばＶ字形、半円形、またさらには矩形であってよい。
【００２３】
このようなチャネルは、光化学フライス削り（ＰＣＭ）のようなエッチング工程によって製造することが好ましい。ＰＣＭは、開始材料に加熱または機械的フライス削りを施すことなく、金属構造物を機械加工したものである。ＰＣＭは、光学パターン転送およびエッチング工程に基づいている。これはマイクロマシン加工技術として知られている。
【００２４】
開始材料は金属シートである。この金属シートは、メディカルスティールからアルミニウムおよび不変鋼までの幅広い様々な材料から選択することができる。鋼鉄の場合、標準医療タイプの殆どのものが使用できる。シリコン、ガラス、または石英と比較すると、未加工鋼鉄が遥かに低価格である。
【００２５】
ＰＣＭは、フォトリソグラフィーベースの製造方法であり、つまり、機械工作を施す構造の外郭が光学的に転写される。金属シート上にフィルム状の感光ポリマーが付加される。このポリマーはフォトレジストと呼ばれ、次の２つのタイプに製造されている。
１．  ドライレジスト（基板上にホイルを積層させたもの）
２．  ウェットレジスト（基板上に液体を散布し、硬化させたもの）
【００２６】
フォトレジストを、シャドーマスクを介して選択的に照明すると、フォトレジストが基板から選択的に除去される（多くの場合、これはパターニングと呼ばれる）。
【００２７】
パターニングを施した基板を、基板材料に反応する水性溶液（たとえば、鋼鉄用の塩化鉄（ＩＩＩ））に晒した場合、フォトレジストが残っていない範囲から材料が選択的に除去される（これは「エッチング」と呼ばれる）。基板と基板を接触させる方法には次の２つの原理がある。
１．  基板を腐食液槽に浸す。
２．  腐食液を基板上に噴霧する。
【００２８】
エッチング工程は、その性質において概して等方性である、つまり全ての方向においてエッチング速度がほぼ同一である。等方性は、フォトリソグラフィおよびエッチングの最中に多数のパラメータによって影響されるため、エッチング形状を特定の限度内で制御することが可能である。
【００２９】
スプレーエッチングは、ディップエッチングと比較して、エッチング速度および形状をより柔軟に制御する。
【００３０】
多くの場合、フォトレジスト層を基板から除去してサンプリング装置を得ることが絶対必要である。通常、フォトレジスト層の除去はウェット処理である。
【００３１】
既述の、毛管チャネルを表面内に組み込む方法に加え、本体を毛管隙間ができるように組み立てることにより、毛管チャネルを製造することも可能である。したがって、たとえば、２本またはそれ以上の非中空針どうしを、たとえば溶接により固定することで、非中空針の接触範囲が毛管チャネルを形成するようにすることも可能である。関連する方法において、毛管チャネルを作成する多数の接触範囲が形成されるよう、ワイヤどうしを捻って撚りワイヤの形状とすることもできる。さらに、体液通路を設けた皮膚穿刺要素を、平坦針上に１層またはそれ以上の層の材料（たとえば積層ホイル）を層間に毛管隙間が作成される形で、または１層の材料に毛管隙間が設けられる形で付加することにより作成できる。
【００３２】
体液通路を提供する毛管チャネルは、一般に、その深さが幅よりも長い。深さと幅の比率（一般にアスペクト比と呼ぶ）は、０．３〜３であることが好ましい。毛管チャネルの断面は、一般に２５００μｍ2であり、１ｍｍ2よりも小さい。毛管チャネルは、好ましくは５０〜４５０マイクロメートルの範囲内、最も好ましくは約２００マイクロメートルの幅を有する。既に上で述べているように、毛管チャネルが外部に開放しており、毛管構造を身体内に挿入している間に体液を採取できることが有利である。優れた体液の採取を達成するためには、毛管構造の外部に開口している範囲の長さが０．５ｍｍまたはそれ以上でなくてはならない。
【００３３】
皮膚穿刺要素の形状はそれほど重要ではない。たとえば、小型の立方体の形状であってもよい。皮膚貫通要素を駆動ユニット内に取り付けるためには、通常は特別な方法は不要であるが、皮膚穿刺要素の基端部に配置された保持領域が好ましい。保持範囲は、皮膚穿刺要素の他の領域と一体に形成することが利点的である。従来の血液サンプリングシステムの使い捨てランセットとして知られているデザインを、穿刺要素のデザインとして採用することができる。たとえば、穿刺要素を保持するために、駆動ユニットのホルダのばね要素が内部で係合する先細り部分を、保持領域に設けることができる。穿刺要素はホルダ内に、穿刺深度を上手く制御できる形で（たとえば、穿刺要素の端部を、先端から離れ、停止部に対して押圧することにより）位置決めされることが有利である。このようなホルダと、さらに、ホルダと使い捨て尖刺ユニットとの間の相互作用に関連して、欧州特許第０５６５９７０号明細書を参照する。
【００３４】
皮膚穿刺要素と同様に、体液サンプリング装置も体液受容手段を設けており、この体液受容手段は、充填中に、通路内の体液が体液受容手段と接触しない形で、皮膚穿刺要素の収集領域から空間的に離間している。しかし、体液サンプルが体液通路の少なくとも一部分内に受容された後、さらに、検体反応の開始時に、体液受容手段と体液通路が相互に接触させられることが望ましい。
【００３５】
サンプリング要素と体液受容手段を空間的に分離することで、サンプリングされた体液を体液受容手段へ搬送するためのシャトルとしてサンプリング要素を採用する実施形態が可能になる。これは、体液サンプリングが空間的に規制された範囲（たとえば機器の前端部）にて実施され、体液受容手段がこの規制された空間内に上手く収まらない場合には特に有利である。後者は特に、たとえば欧州特許出願公開第０２０２６２４２．４号明細書、米国特許第４２１８４２１号明細書、欧州特許第０２９９５１７号明細書に記載されているように、体液受容手段がテープに固定されている場合に当てはまる。シャトル機能により、以下の工程を有する検査工程の実施が可能になる。
体液をサンプリング要素内にサンプリングし、
サンプリングした体液をサンプリング要素と共に体液受容手段へ搬送し、
体液受容手段をサンプリング要素上の体液と接触させ、
２または３以上の検体の濃度に関連した体液受容手段の変化を検出する。
【００３６】
体液受容手段を装備したマガジンを採用する場合には、サンプル体液を搭載した皮膚穿刺要素と接触させるために、収納された体液受容手段から特定の体液受容手段を露出させるさらなる工程を設けることができる。特定の体液受容手段が評価されると、さらなる体液受容手段が、皮膚穿刺要素上のサンプル体液と接触するべく露出される。
【００３７】
したがって、上述のシャトル概念によるシステムは、１つまたはそれ以上のサンプリング要素と、サンプリング要素を体液受容手段と接触させる搬送手段とを備えている。サンプリング要素は皮膚穿刺要素であってよく、これにより、システムは適切なドライバを設ける。穿刺および搬送手段用のドライバを同一の駆動ユニット内に採用できる。さらにこのシステムは、複数の体液受容手段のための貯めユニットを備えていてよい。さらに、体液受容手段を、体液を受容するべく連続的に露出させる露出ユニットを備えることもできる。
【００３８】
体液受容手段は、サンプリング要素の体液通路から体液を取り上げる構造物である。この体液の取り上げは、たとえば、体液通路内の体液と体液受容手段との間に付加した電位によって達成できる。しかし、体液受容手段は、皮膚穿刺要素の体液通路よりも大きな毛管作用を有するため、接触の最中に体液が自動的に取り上げられる。これに関連して、体液受容手段を、布地材料で製造することができる（少なくとも体液取り上げの範囲において）。体液受容手段は、このような毛管性の高い材料を備えた特定の領域を備えるか、または、体液受容手段の全範囲が体液チャネルから体液を受容する受容手段として機能することができる。体液受容手段は、布地または織物材料で覆うか、または、体液受容手段をより複雑にして、サンプル体液の事前処理／センサ・検査領域への体液の搬送を可能にすることができる、実質的に２つまたはそれ以上の検査領域を備えていればよい。事前処理は、体液サンプルの濾過、および／または試薬との混合を含む。分析機能を設けた体液受容手段を得るために、検査領域を、たとえば基板上にスポッティングまたは印刷することができる。
【００３９】
体液受容手段は、２つまたはそれ以上の検体を検出するための試薬を含んだ化学物質層を設ける２つまたはそれ以上の検査領域を備えている。
【００４０】
試薬は、検出する検体との反応によって生じた検出可能な変化を経験する。グルコースの検出に典型的な試薬は、たとえば、色原体酸化還元システムと組み合わせたグルコース酸化酵素に基づくものである。試薬は、体液からのグルコースで色を形成する光学評価の従来技術においてよく知られている。さらに、試薬は、検体を電気化学検出することができる血糖値検査片の分野でも知られている。使用する試薬混合物は、その組成のために（たとえば酸化アルミニウム、珪藻土、その他）、通常は固体であり、毛管チャネルから体液を取り上げることが可能な高い毛管作用を有する。これらの検出システムは従来技術により周知であるため、ここでは詳細な説明を省くが、米国特許第５７６２７７０号明細書、米国特許第３６２６８号明細書を参照する。これ以外の様々な検体について類似の検査システムが知られている。
【００４１】
サンプリング要素が皮膚穿刺要素である場合、本発明による体液収集システムの好ましい実施形態は駆動ユニットをさらに備え、この駆動ユニットは、起動時に、皮膚穿刺要素を、尖刺動作を行えるよう第１位置から第２位置へ移動させる。適切な駆動ユニットは、血液サンプリングシステムの分野でよく知られている。駆動ユニットは、たとえば、使用者によって傾けられ、開放時に皮膚穿刺要素を駆動するばねを含んでいる。特に有利な駆動ユニットが、欧州特許第０５６６９７０号明細書に記載されている。
【００４２】
体液分析のためのシステムは検出ユニットを備えている。検体が含まれていると変色する、または色を形成する試薬を含有したセンサ／検査領域を使用する場合には、光源と、伝播または反射された光を検出するための検出器とを装備した光学検出ユニットをシステムに設けることができる。
【００４３】
本発明によれば、体液受容手段は２つまたはそれ以上の検査領域を備えている。これらは、同一の光学によって、体液受容手段と光学が、検査領域を連続的に読み取るべく相互に移動する方法で評価することができる。
【００４４】
電気化学検出を採用する場合には、システムは、検査領域または体液受容手段と接触する電極を設ける。ロウ信号の評価を行う場合には、システムに、たとえばいわゆるコットレル（Cotrell）電流（たとえば米国特許第３６２６８号明細書を参照）の測定によって、検体の濃度を決定するための、従来技術において知られている電子装置を設けることができる。検査領域の評価について、別の検出原理、および異なる検出原理の組み合わせを採用することができる。
【００４５】
本発明による皮膚穿刺要素を用いれば、突出部を皮膚内に挿入した状態で体液を引き出す（つまり、身体から、および／または、体表上に浸出した体液からサンプルを直接引き出す）、または、穿刺後に突出部を身体から引き出し、体表に滲出した体液を取り上げることができる。体液を収集するために突出部を身体内に残しながら、皮膚内のランシングチャネルは開放したままにする部分的引き出しは、腕においてサンプリングを行う場合に特に適切である。これは、腕の小さな傷は非常に迅速に閉鎖するため、穿刺後に体液がまったくまたは極少量しか滲出しないという事実によるものである。一方、腕は、たとえば指と比較して、痛みに対する感度が大幅に低く、故に、突出部を身体内に残す場合にも痛みを感じずにすむ。上述したように、外部に開放した毛管構造の利点は、開放した体液チャネル全体を介して体液を取り上げられることであるが、中空針では、液体の取り上げ範囲が針の前端に限定されてしまう。後者は、穿刺工程の最中に、針の開口部が（死滅した細胞部分による）細胞で密閉されてしまい、液体がまったく、または不適切な量しか取り上げられない場合に、特に不利である。
【００４６】
さらに、引き出し工程は、本発明によるサンプリング装置によって行うことができ、これは先述の工程を組み合わせたものである。この組み合わせた工程では、まず穿刺を行うが、この場合、突出部を穿刺経路の一部分の上に引き戻し、数秒間の収集期間中その場所に停留させる。この工程の利点は、突出部が収縮することで、ランシングチャネルの一部分が体液を内部に収集するべく露出し、体液がそこから皮膚穿刺要素の体液通路内へ入れることである。さらに、このような引き込みは、皮膚表面上の血液を開放チャネルによって取り上げられるという利点を有する。状況に応じて、残存血液をほぼ完全に採りきり、使用者が血液を見なくて済むようにすることができる。
【００４７】
効率的な体液の体液通路内への取り上げに重要なさらなる決定的な要因は、毛管チャネルの湿潤性である。シリコン製の毛管構造を使用する場合は、通常は、表面上のシリコン酸化物層によって適度に湿潤させることができる。毛管構造に金属またはプラスチックを使用する場合は、多くの場合、湿潤させることが比較的困難である。これは、ケイ酸塩化のような多数の異なる処置によって対抗することができる。通常、湿潤性は、毛管内の体液が、凹状メニスカスを有する、つまり湿潤角度が９０°未満である場合に適当となる。次に、本発明を図面に関連してより詳細に説明する。しかしながら、図面に示すとおりの特定の実施形態の説明は、本発明の範囲の限定を意図するものではない。
【発明を実施するための最良の形態】
【００４８】
図１は、皮膚穿刺要素１０を示し、その細長い部分１２、１３内に延びた流体通路１１を設けている。この部分は、フレーム形状のホルダ１４と接続している。細長い部分は、ホルダ部分１４から突出した突出部１２を設けている。突出部の前端には鋭利な先端１５が配置されている。この鋭利な先端１５によって、皮膚穿刺要素は、刺入の最中に皮膚表面を貫通することができる。体液通路１１は、突出部の前端領域内から始まり、ホルダフレーム１４内に配置された可動部分１３内へと延びている。体液通路は毛管チャネルであり、この毛管チャネルは、突出部分の領域内でチャネルと接触する体液が毛管作用の手段によって可動部分１３内へ移動することを可能にする。図１Ａに示すように、皮膚穿刺要素の突出部分、可動部分、フレーム部分は一体に形成されている。皮膚穿刺要素１０は、エッチング処理によって作成できる。シリコン製造工程においてよく知られているように、シリコン材料のウェーハにエッチング処理を施すことで、先端と毛管チャネルを備えた装置を提供することができる。しかし、大量生産の場合には、薄い金属板にエッチング処理を施すことで皮膚穿刺要素を製造することが有利である。突出部１２の鋭利な先端１５を、エッチング工程の最中に形成して、別個の研磨工程を省略できることが特に有利である。
【００４９】
図１Ａから分かるように、チャネルがサンプル体液で充満した直後に体液を受容する、体液チャネルと接触する試薬またはセンサは設けられていない。これとは異なり、本発明は、流体受容手段上に検査領域またはセンサを別個に配置することを提案する。
【００５０】
図１Ｂは、図１Ａの皮膚穿刺要素１０を、検査領域を具備した体液受容手段と共に示している。体液受容手段４０は概略的に示す。体液受容手段４０は、皮膚穿刺要素の、体液チャネル１１が周囲環境に開口している上側に配置されている。しかし、体液受容手段４０は、初期段階では、体液通路内のサンプル体液が体液受容手段と接触しないように、体液通路１１から離間している。図示の実施形態では、体液受容手段は、本質的に、皮膚穿刺要素および３つの検査領域４５、４５’、４５”に関連した体液受容手段の適切な方位および空間を提供する保持構造部４１を提供する。この実施形態では、検査領域は、体液中の３つの検体の濃度に基づいて光学信号を生成する、複数の異なる試薬化学物質を備えている。試薬化学物質は、たとえば珪藻土またはチタン二酸化物としての多孔性材料が組み込まれていることで、毛管チャネル１１から体液を吸引する高い毛管引力を既に備えている。試薬化学物質はキャリア面に付加される。図１Ｂに示すように、初期段階では、体液通路と検査領域４５、４５’、４５”は離間しているため、毛管チャネル１１内に配置された体液が検査領域４５、４５’、４５”へ移動されることはない。体液が体液通路内に受容され、可動区間１３を満たすと、体液サンプリング装置が測定を行うべく準備される。機械的起動の手段により、可動区間１３を検査領域の方向へ屈曲することができ、これにより、体液通路内に配置された体液が検査領域と接触し、試薬化学物質を湿潤することができる。この、検査領域をサンプル体液と接触させる接触モードは、従来技術にかけていくつかの利点を有する。
【００５１】
従来技術にかけての第１の利点は、特定の時間地点において測定を開始できることである。これはつまり、検査領域の湿潤と最終信号測定との間の時間を自由に選択できるということである。しかし、この時間は、毛管内で血液が乾燥する時間よりも短い。反応時間を知る、または制御することで、測定の精密性が向上する。さらに、湿潤の直後から、信号を測定することが可能であり、これにより反応運動を監視できる。この早期信号の評価は、測定結果の正確性をも向上させる。図１Ｂでは、さらなる利点を見ることができる。可動区間１３は、検査領域４５、４５’、４５”と接触すると、体液チャネル１１の中間区間と接触するが、端部部分とは接触しない。皮膚表面によって汚染された体液、または間質液（ＩＳＦ）を含有した体液がまず毛管に入り、毛管の端部部分を充填した後にその場所に滞留する。端部部分内の体液は体液受容手段と接触しないため、この端部部分は排出領域と呼ばれる。そのため、チャネルの中間部分には、ほぼ汚染されていない流体、および間質液を含有しない流体が含まれる。毛管から体液受容手段へ体液を搬送するこの概念は、プラズマ、または皮膚表面からの物質による測定の妨害を除去するべく機能する。当然であるが、分析用のサンプルの量が少量（たとえば、１マイクロリットル未満）に減少した場合には、皮膚表面からの物質による汚染は、可能であれば回避されるべきである。間質液については、通常この体液は、実際の血液検体濃度ではなく、５〜３０分前の濃度を呈することが知られている。これは、血液室と間質液室の間の交換の時間遅延によるものである。
【００５２】
この、体液受容手段と、チャネル内に受容された（汚染された）体液との接触を回避する概念は、多数の装置に適用することができ、また、皮膚穿刺要素を装備したサンプリング装置に限定されるものではない。これにより、以下の工程を備えた体液サンプリング方法が得られる。
【００５３】
チャネルが内設された支持構造の導入領域内に体液を導入する工程を備え、上記体液は、周囲から到達可能な支持構造の到達領域と、到達領域の下流に配置された排出領域を設けたチャネルとを充填し、
体液受容手段を、体液を受容するために、到達領域内に配置された体液と接触させるが、排出領域内の体液とは接触させない工程とを備える。
【００５４】
つぎに、図１に示す、支持構造第１が皮膚穿刺要素である実施形態に戻る。図１Ｃに、可動部分１３と検査領域４５、４５’、４５”の間の接触を示す。この図面が示すように、可動部分は、その舌状の形状により、上方へ屈曲することができる。皮膚穿刺要素が可鍛性の材料から成る場合には、皮膚穿刺要素の非常に薄型の構造により、可動区間は自動的に十分な可撓性を有する。適切な材料は、屈曲時に破損しない、たとえば金属、シリコン、さらにはセラミックである。
【００５５】
毛管を検査領域へ移動させる代わりに、たとえばキャリアを屈曲することで、検査領域を毛管へ移動させることも考えられるべきである。
【００５６】
図２Ａは、体液チャネルと体液受容手段の間の接触が、移動可能な体液受容手段によって達成される第２実施形態を示す。第１実施形態と同様に、皮膚穿刺要素は、皮膚を穿刺するための先端１５を設けた突出部１２を備えている。毛管チャネルの形状をした体液チャネル１１は、穿刺先端１５付近から始まり、ホルダ部分１４の中間区間内へ延びている。体液受容手段は、スペーサ４２と、スペーサに固定された可動キャリア４３とを備えている。可動キャリア４３は、その下側に、光学検出のための試薬マトリックスの形態をした２つの検査領域４５、４５’を保持している。毛管チャネル１１がサンプル体液で充填されると、可動キャリア４３が押下され、検査領域４５、４５’がこの充填されたチャネルと接触し、体液を取り上げる。この時点で、透明なキャリア４３の照明が可能であり、検査領域４５、４５’の裏面で反射された放射を測定することにより、信号を取得することができる。
【００５７】
図２Ｂは、体液チャネル１１の、センサ４５、４５’と接触する部分を詳細に示している。同図からわかるように、チャネルは、皮膚穿刺要素１４の上方面から突出した直立壁を設けている。直立壁１１’は尖った縁を設けている。これらの縁の機能は、検査領域と体液通路１１の間の相互作用を示す図２Ｃにてより明瞭に見ることができる。図２Ｃの左の図は、体液通路に接近している検査領域４５、４５’を示す。検査領域４５、４５’は、キャリア４０の下側に配置されている。体液通路１１内に滞留している体液２５は窪んだコーヌス（conus）を有している。これは、検査領域と体液通路の壁との間の若干の接触が、体液を検査材料と接触させるのに十分でない可能性があることを意味する。図の右手側では、センサ材料を押下する、さらにはこれを切開するべく働く尖った縁の機能を見ることができる。これにより、一方では、検査領域が体液の表面により接近して近づき、もう一方では、検査材料とチャネルの間の密接な接触が達成される。これら両方の局面によって、体液通路から検査領域上への体液の搬送が向上する。
【００５８】
図３は、穿刺要素と検査領域を通る切り込みを示す４つの実施形態を示している。これは、対処されるべき技術的な問題を例証している。図３ａでは、体液チャネルの隣の身体穿刺要素に皮下コーティング１６を付加した実施形態を示す。図３ａに見られるように、検査領域と皮膚穿刺要素との接触は、検査領域と体液を接触させるだけでなく、接触中に、一方で、検査領域（またはキャリア）間に毛管空間が、もう一方で、体液通路の隣に突出部が形成される。通常これによって、チャネル内に滞留しているサンプル流体を、検査領域上のみでなく、さらに、生成された小さい毛管空間内へも搬送する高い毛管引力が作り出される。疎水性コーティング１６は、皮膚穿刺要素１４の上方面とキャリアまたは検査領域との間にサンプル体液が滲出することを防止する。搬送されたサンプル体液の量が、検査領域を正確な測定を達成できる形で湿潤するのに十分となるように、サンプルを検査材料の専用範囲上へ搬送することが望ましい。サンプル体液を検査領域の他の領域、あるいはキャリアへ損失してしまうことは、専用領域内で検査材料が十分湿潤されず、測定を正確に実施できないことを意味する。
【００５９】
図３ｂは、サンプル体液の故意でない滲出を防止するさらなる実施形態を示す。図２と同様に、この実施形態は、検査領域またはキャリアと接触する直立チャネルを備えている。このために、空間内に滲入する体液が外部チャネル壁にて停止するため、サンプル体液の損失が大幅に低減される。しかし、チャネル壁は、図３ｂに示すように四角形である必要はなく、図３ｃまたは３ｄに示すように尖った形状であってもよい。
【００６０】
図４は、サンプル体液と検査領域との接触の電気トリガリングの概念を示す。
【００６１】
しかし、この一般的な概念を、チャネルを具備した支持構造の特別な実施形態として、皮膚穿刺要素に関連させて図４に示す。体液をトリガリングするためには、サンプル体液２５とキャリア４０の間に高電位を付加する。これにより、サンプル体液がチャネルから検査領域上へ移動するか、または、キャリアがチャネルの方向へ移動する。いずれの場合においても、電位を入れることにより、サンプル体液による検査領域の湿潤を非常に短い時間フレーム内で誘発することができる。キャリアの透過図に見られるように、検査領域を湿潤させるべく薄型の毛管チャネルよりも多量の体液を提供するために、検査領域の下のチャネルが収集領域２６内へと続いている。
【００６２】
図４Ｂは、収集領域の好ましい実施形態をより詳細に示す。同図中に見られるように、収集領域２６は、体液の検査領域上への移動を促進する直立要素２６’を備えることが好ましい。これらの直立要素は、一方で、体液を搬送するために自体の側にて高い電荷を誘発し、もう一方で、収集領域２６の毛管引力を向上させることで、体液による充填を改善する。
【００６３】
図５Ａ、図５Ｂ、図５Ｃは、相互に離間した皮膚穿刺要素および検査領域を提供するためのより単純な設計を示し、この設計により、起動時に、検査領域をチャネル内のサンプル体液と接触させることが可能になる。図５Ａの実施形態は図１のものと類似している。皮膚穿刺要素は、毛管チャネル１１が内設された要素内部１３’と接続したフレームを備えている。内部とフレームは、屈曲可能な部分５１によって接続している。毛管チャネルの充填後に、内部がフレームに対して捻れることにより、毛管の一部分がキャリア４３の下の検査領域と接触する。屈曲可能な部分を曲げ回すことにより、内部が検査領域と或る角度にて接触する。これは、気泡が侵入することなく検査領域を均等に湿潤することができるため、特に有利であることが証明されている。
【００６４】
図５Ｂは、キャリア４３とその支持部が、屈曲可能な部分５１’を介して、毛管を備えた主要部分１４’と接続される実施形態を示す。ここでも、毛管と検査領域の間の接触は傾斜した形で達成される。
【００６５】
図５Ｃは、２つの端部にてフレーム１４”と接続した内部１３”を備える実施形態を示す。内部１３”の中心部分に圧力が下側から付加されると、この中心部分がキャリア４３の下の検査領域に対して屈曲する。この内部を再度曲げることにより、角度付けされた接触が達成される。
【００６６】
図６は、毛管チャネルの向上した形状を概略的に示す。チャネル内における体液の充填レベルは、毛管の幅が減少するにしたがって増加する。図６の毛管は、皮膚穿刺要素の先端部分へ続く第１領域ａを備えている。増大した直径を有する第２領域ｂは、より多量のサンプル容量を提供するためのものである。特に有用なのは、幅を減少させた第３領域ｃである。減少した幅のために充填レベルが増加し、これにより、チャネルから検査領域への体液の搬送の成功率が高まる。したがって、検査領域がまず領域ｃと接触し、次に領域ｂと接触できるように、検査領域と毛管を傾斜した形で接触させることが好ましい。これにより、体液搬送が領域ｃによって安全に開始され、領域ｂによって十分な量のサンプルが提供される。領域ｃの下流に領域ｄを採用して、汚染されたサンプル体液または間質液を排出するようにしてもよい。
【００６７】
図７は、先端領域内へ続く第１領域ａと、増大した直径を有する第２領域ｂとを備えた皮膚穿刺要素を示す。図Ａは、皮膚が穿刺され、血液が毛管チャネルの領域ａ内に採取された後の状態を示す。より減少した領域ｂの毛管引力のために、サンプル体液は領域ａを充填するが、領域ｂは充填しない。皮膚穿刺要素がキャリア４３と接触せしめられると、或る部分における開放チャネル構造ａ、ｂ、ｄがその先端にて閉鎖され、これにより、この部分における毛管引力が増加することで、収集領域ｂが充填され、キャリア４３の下側上の検査領域がサンプル体液と接触する。光学要素の形状を目的として、円形の検出範囲を設けることが有利である。
【００６８】
図７による皮膚穿刺要素は以下の方法にて使用することができる。
【００６９】
皮膚を穿刺し、
体液を、毛管チャネルの一部分（領域ａ）内にサンプリングし、
収集領域ｂ内の毛管チャネルを検査領域および／またはキャリアと接触させて、領域ｂが体液で充填されるようにし、
体液からの検体との反応による検査領域の変化を検出する。
【００７０】
図８Ａ、図８Ｂは、複数（図示の場合では３つ）の検査領域にサンプル体液を提供するよう適合された皮膚穿刺要素１０の実施形態を示す。両図中の体液通路１１は、鋭利な先端１５付近の前端領域から開始している。図８Ａ、図８Ｂをさらに説明するために、図１を参照する。図８Ａ、図８Ｂは、関連する検査領域と接触するとこれらを湿潤させるためのサンプルを保持するよう機能するプーリング（pooling）領域４７、４７’、４７”を設けている。プーリング領域は、より多量の体液を貯められるように、毛管チャネル１１よりも大きな直径を有することが好ましい。図８Ａでは、プーリング領域は、真直ぐな体液通路１１内に一体に形成されており、一方、図８Ｂでは、体液をプーリング領域内へ案内するための、主要体液通路から分岐した側部チャネルが設けられている。そのため、本発明のサンプリング要素は、主要体液通路から分岐した側部流体チャネルと、これらの側部体液チャネル内に設けられたプーリング領域とを備えることができる。これにより、プーリング領域と、さらに検査領域との接触場所とを空間的に離間させ、接触場所間における干渉を防止することができる。
【図面の簡単な説明】
【００７１】
【図１Ａ】体液通路を有する皮膚穿刺要素を示す図である。
【図１Ｂ】体液通路を有する皮膚穿刺要素を示す図である。
【図１Ｃ】体液通路を有する皮膚穿刺要素を示す図である。
【図２Ａ】液体チャネルと液体受け入れ手段との接触が移動可能な液体受け入れ手段によって実現される第２の実施例を示す図である。
【図２Ｂ】液体チャネルと液体受け入れ手段との接触が移動可能な液体受け入れ手段によって実現される第２の実施例を示す図である。
【図２Ｃ】液体チャネルと液体受け入れ手段との接触が移動可能な液体受け入れ手段によって実現される第２の実施例を示す図である。
【図３ａ】穿刺要素と試験領域とを破断した第４の実施例を示す図である。
【図３ｂ】穿刺要素と試験領域とを破断した第４の実施例を示す図である。
【図３ｃ】穿刺要素と試験領域とを破断した第４の実施例を示す図である。
【図３ｄ】穿刺要素と試験領域とを破断した第４の実施例を示す図である。
【図４Ａ】サンプル液と試験領域との電気的接触の概念を示す説明図である。
【図４Ｂ】サンプル液と試験領域との電気的接触の概念を示す説明図である。
【図５Ａ】皮膚穿刺と試験領域とを、チャネル内のサンプル液を試験領域に接触させることを許すように離間させるように設ける構造を有する実施例を示す図である。
【図５Ｂ】皮膚穿刺と試験領域とを、チャネル内のサンプル液を試験領域に接触させることを許すように離間させるように設ける構造を有する実施例を示す図である。
【図５Ｃ】皮膚穿刺と試験領域とを、チャネル内のサンプル液を試験領域に接触させることを許すように離間させるように設ける構造を有する実施例を示す図である。
【図６】毛管チャネルの改良された形態を示す図である。
【図７Ａ】先端部と径大部を有する第２領域へと導く第１領域を有する皮膚穿刺要素を示す図である。
【図７Ｂ】先端部と径大部を有する第２領域へと導く第１領域を有する皮膚穿刺要素を示す図である。
【図８Ａ】先端部と径大部を有する第２領域へと導く第１領域を有する皮膚穿刺要素を示す図である。
【図８Ｂ】先端部と径大部を有する第２領域へと導く第１領域を有する皮膚穿刺要素を示す図である。
【図１Ａ】
2007527288.tif 000003
【図１Ｂ】
2007527288.tif 000004
【図１Ｃ】
2007527288.tif 000005
【図２Ａ】
2007527288.tif 000006
【図２Ｂ】
2007527288.tif 000007
【図２Ｃ】
2007527288.tif 000008
【図３ａ】
2007527288.tif 000009
【図３ｂ】
2007527288.tif 000010
【図３ｃ】
2007527288.tif 000011
【図３ｄ】
2007527288.tif 000012
【図４Ａ】
2007527288.tif 000013
【図４Ｂ】
2007527288.tif 000014
【図５Ａ】
2007527288.tif 000015
【図５Ｂ】
2007527288.tif 000016
【図５Ｃ】
2007527288.tif 000017
【図６】
2007527288.tif 000018
【図７Ａ】
2007527288.tif 000019
【図７Ｂ】
2007527288.tif 000020
【図８Ａ】
2007527288.tif 000021
【図８Ｂ】
2007527288.tif 000022
【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
サンプル体液を受容するための体液通路を有するサンプリング要素を備え、前記体液通路の少なくとも一部分が周囲環境に開放しており、
充填中に前記体液通路によって体液接触されない体液受容手段をさらに備え、これにより、初期段階において、前記通路内の体液が体液受容手段と接触せず、
前記体液受容手段が２または３以上の検査領域を備えてなる検査装置。
【請求項２】
前記サンプリング要素が皮膚穿刺要素である請求項１記載の装置。
【請求項３】
前記装置が、前記体液通路内の体液と前記体液受容手段との接触状態を推測できるように、起動時に物理的変化を知ることができる請求項１記載の装置。
【請求項４】
前記装置が可動部分を有し、前記可動部分が移動可能であり、その上に前記体液通路の少なくとも一部が配置される請求項３記載の装置。
【請求項５】
前記サンプリング要素が体液移動領域を有し、前記体液移動領域内の前記体液通路の少なくとも一部分が鋭利な壁を有する請求項３または４記載の装置。
【請求項６】
前記体液受容手段が、前記鋭利な壁によって押下または切断が可能な層構造を備える請求項５記載の装置。
【請求項７】
前記体液通路内に受容された体液が、電気的起動によって体液受容手段上へ移動される請求項１記載の装置。
【請求項８】
前記サンプリング要素が、直立要素（２６’）が内設される収集領域（２６）を有する請求項７記載の装置。
【請求項９】
前記サンプリング要素または体液受容手段が、体液移動範囲を、体液通路から体液受容手段上に限定する限定手段を有する請求項１記載の装置。
【請求項１０】
前記体液通路が突出壁部分を有し、体液通路付近の表面が、前記突出壁部分に関連して窪んでいる請求項９記載の装置。
【請求項１１】
前記体液通路付近の表面が皮下である請求項９記載の装置。
【請求項１２】
前記体液受容手段が、反応領域、濾過領域、混合領域のうちの少なくとも１つを備える請求項１記載の装置。
【請求項１３】
前記サンプリング要素が２または３以上の通路を有する請求項１記載の装置。
【請求項１４】
前記体液通路が、第１領域（ａ）内において第１幅を有し、別の領域（ｃ）内において、前記第１幅よりも短い第２幅を有する請求項１記載の装置。
【請求項１５】
前記体液通路がさらに収集領域（ｂ）を備える請求項１または１４記載の装置。
【請求項１６】
前記２または３以上の検査領域と毛管チャネルとの接触範囲が、毛管チャネルの中間部分内に配置されているため、最初に毛管内に入る体液適用量が検査領域と接触することがない請求項１記載の装置。
【請求項１７】
体液を受容するための体液通路を設けたサンプリング要素を備え、前記体液通路の少なくとも一部分が周囲環境に開放しており、
充填中に前記体液通路から流体接触されない体液受容手段をさらに備え、これにより、初期段階において、前記通路内の体液が前記体液受容手段と接触することがなく、
前記体液受容手段が２つまたはそれ以上の検査領域を備えてなる体液分析のためのシステム。
【請求項１８】
前記システムが、検体の存在および／または濃度を決定するために、前記検査領域のうちの少なくとも１つから信号を受信するための検出ユニットを装備した測定器を備える請求項１８記載のシステム。
【請求項１９】
前記測定器が、前記体液受容手段が受容されるホルダを備え、前記少なくとも１つの検査領域から検出器への信号送信が可能である請求項１８記載のシステム。
【請求項２０】
前記検査領域のうちの少なくとも１つにサンプル体液を供給するために、前記サンプリング要素の体液通路の一部分を体液受容手段と接触させる接触手段を備える請求項１７記載のシステム。
【請求項２１】
前記測定器が、接触手段が体液通路を体液受容手段と接触させた、またはサンプル体液が検査領域に達したことを示す信号を受信する処理ユニットを有する請求項１８記載のシステム。
【請求項２２】
前記接触手段が、前記体液通路からの液体が体液受容手段と接触できるようにするために、前記体液通路と前記体液受容手段の間に電位を付加する電圧手段を備える請求項２０記載のシステム。
【請求項２３】
前記サンプリング要素が可動部分を有し、前記接触手段が、前記体液通路の少なくとも一部を前記体液受容手段と接触させるべく移動させるために、前記可動部分に力を付加する請求項２０記載のシステム。
【請求項２４】
前記サンプリング要素が皮膚穿刺手段であり、前記システムがさらに、体液サンプルを取得するべく皮膚を穿刺するために皮膚穿刺要素を皮膚内に駆動する駆動手段を備えている請求項１７記載のシステム。
【請求項２５】
ａ）サンプリング要素の体液通路内に体液を受容する工程を備え、
ｂ）前記サンプリング要素を、２つまたはそれ以上の検査領域を備えた体液受容手段と接触させる工程をさらに備え、これにより、サンプリング要素の体液が体液受容手段と接触し、前記検査領域のうちの少なくとも１つに到達することができ、
ｃ）前記少なくとも１つの検査領域から送信された、検体濃度を特徴とする信号を受信する工程をさらに含み、
ｄ）検体濃度を決定するべく前記信号を処理する工程をさらに含む
体液中の検体濃度を決定する方法。
【請求項２６】
前記工程ｂ）で開始する期間が監視され、検体濃度の決定が経過時間に基づいて開始される請求項２５記載の方法。
【請求項２７】
前記工程ｂ）が信号の監視を開始し、信号の経時的変化が、濃度決定の時間における１つの点を決定するために採用される請求項２５記載の方法。
【請求項２８】
前記皮膚穿刺要素による皮膚刺入を備える請求項２５記載の方法。
【請求項２９】
少なくともアクセス領域において周囲から接触可能なチャネルを内部に有する支持構造を備え、前記チャネルが体液導入領域と、さらに、接触領域の下流に位置する体液排出領域とを有し、
体液受容手段をさらに備え、
前記体液受容手段が、第１状態においてチャネルから離間し、第２状態にある接触領域内の体液によって接触されているため、排出領域からの体液によって接触されることがなく、
前記体液受容手段が２つまたはそれ以上の検査領域を備えてなる分析装置。
【請求項３０】
少なくとも接触領域において周囲から接触可能な内部に体液を受容するためのチャネルを有する支持構造を備え、
チャネルから離間している体液受容手段をさらに備え、
オン状態において、前記接触領域内の体液と前記体液受容手段との間に電位を付加する電位ソースをさらに備え、これにより、前記接触領域からの体液が前記体液受容手段上へ搬送され、
前記体液受容手段が２または３以上の検査領域を備えてなる分析装置。
【請求項３１】
ａ）サンプリング要素の体液通路内に体液を受容する工程を含み、
ｂ）前記サンプリング要素を少なくとも１つの検査領域を備える第１体液受容手段と接触させる工程であって、これによりサンプリング要素の体液通路からの体液が、第１体液受容手段と接触し、その少なくとも１つの検査領域に到達させる工程をさらに含み、
ｃ）前記サンプリング要素を、少なくとも１つの検査領域を備える第２体液受容手段と同時または連続的に接触させる工程であって、これにより、前記サンプリング要素の体液通路からの体液が第２体液受容手段と接触し、その少なくとも１つの検査領域に到達させる工程をさらに含み、
ｄ）前記第１および第２体液受容手段の前記少なくとも１つの検査領域からの信号を受信する工程をさらに含み、
ｅ）検体濃度を決定するために前記信号を処理する工程をさらに含んでなる体液中の検体濃度を決定する方法。
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
サンプル体液を受容するための体液通路を有するサンプリング要素を備え、前記体液通路の少なくとも一部分が周囲環境に開放しており、
充填中に前記体液通路によって体液接触されない体液受容手段をさらに備え、これにより、初期段階において、前記通路内の体液が体液受容手段と接触せず、
前記体液受容手段が２または３以上の検査領域を備えてなる検査装置。
【請求項２】
前記サンプリング要素が皮膚穿刺要素である請求項１記載の装置。
【請求項３】
前記装置が、前記体液通路内の体液と前記体液受容手段との接触状態を推測できるように、起動時に物理的変化を知ることができる請求項１記載の装置。
【請求項４】
前記装置が可動部分を有し、前記可動部分が移動可能であり、その上に前記体液通路の少なくとも一部が配置される請求項３記載の装置。
【請求項５】
前記体液通路内に受容された体液が、電気的起動によって体液受容手段上へ移動される請求項１記載の装置。
【請求項６】
前記サンプリング要素または体液受容手段が、体液移動範囲を、体液通路から体液受容手段上に限定する限定手段を有する請求項１記載の装置。
【請求項７】
前記２または３以上の検査領域と毛管チャネルとの接触範囲が、毛管チャネルの中間部分内に配置されているため、最初に毛管内に入る体液適用量が検査領域と接触することがない請求項１記載の装置。
【請求項８】
体液を受容するための体液通路を設けたサンプリング要素を備え、前記体液通路の少なくとも一部分が周囲環境に開放しており、
充填中に前記体液通路から流体接触されない体液受容手段をさらに備え、これにより、初期段階において、前記通路内の体液が前記体液受容手段と接触することがなく、
前記体液受容手段が２つまたはそれ以上の検査領域を備えてなる体液分析のためのシステム。
【請求項９】
前記検査領域のうちの少なくとも１つにサンプル体液を供給するために、前記サンプリング要素の体液通路の一部分を体液受容手段と接触させる接触手段を備える請求項８記載のシステム。
【請求項１０】
ａ）サンプリング要素の体液通路内に体液を受容する工程を備え、
ｂ）前記サンプリング要素を、２つまたはそれ以上の検査領域を備えた体液受容手段と接触させる工程をさらに備え、これにより、サンプリング要素の体液が体液受容手段と接触し、前記検査領域のうちの少なくとも１つに到達することができ、
ｃ）前記少なくとも１つの検査領域から送信された、検体濃度を特徴とする信号を受信する工程をさらに含み、
ｄ）検体濃度を決定するべく前記信号を処理する工程をさらに含む
体液中の検体濃度を決定する方法。
【請求項１１】
少なくともアクセス領域において周囲から接触可能なチャネルを内部に有する支持構造を備え、前記チャネルが体液導入領域と、さらに、接触領域の下流に位置する体液排出領域とを有し、
体液受容手段をさらに備え、
前記体液受容手段が、第１状態においてチャネルから離間し、第２状態にある接触領域内の体液によって接触されているため、排出領域からの体液によって接触されることがなく、
前記体液受容手段が２つまたはそれ以上の検査領域を備えてなる分析装置。
【請求項１２】
少なくとも接触領域において周囲から接触可能な内部に体液を受容するためのチャネルを有する支持構造を備え、
チャネルから離間している体液受容手段をさらに備え、
オン状態において、前記接触領域内の体液と前記体液受容手段との間に電位を付加する電位ソースをさらに備え、これにより、前記接触領域からの体液が前記体液受容手段上へ搬送され、
前記体液受容手段が２または３以上の検査領域を備えてなる分析装置。
【請求項１３】
ａ）サンプリング要素の体液通路内に体液を受容する工程を含み、
ｂ）前記サンプリング要素を少なくとも１つの検査領域を備える第１体液受容手段と接触させる工程であって、これによりサンプリング要素の体液通路からの体液が、第１体液受容手段と接触し、その少なくとも１つの検査領域に到達させる工程をさらに含み、
ｃ）前記サンプリング要素を、少なくとも１つの検査領域を備える第２体液受容手段と同時または連続的に接触させる工程であって、これにより、前記サンプリング要素の体液通路からの体液が第２体液受容手段と接触し、その少なくとも１つの検査領域に到達させる工程をさらに含み、
ｄ）前記第１および第２体液受容手段の前記少なくとも１つの検査領域からの信号を受信する工程をさらに含み、
ｅ）検体濃度を決定するために前記信号を処理する工程をさらに含んでなる体液中の検体濃度を決定する方法。
【国際調査報告】
2007527288.tif 000023
2007527288.tif 000024
2007527288.tif 000025
2007527288.tif 000026
2007527288.tif 000027